(57)【特許請求の範囲】
【請求項１】
通信装置であって、
他の通信装置に第１の無線ネットワークの通信パラメータを提供する提供手段と、
周囲の無線ネットワークの中で一意となるネットワーク識別子を判別する判別手段と、
他の通信装置との通信パラメータの設定処理がユーザにより指示され、前記提供手段により前記他の通信装置に通信パラメータを提供する提供装置として動作する場合に、前記第１の無線ネットワークのネットワーク識別子と異なり、かつ、周囲の無線ネットワークの中で一意となるネットワーク識別子を前記判別手段により判別し、該ネットワーク識別子の第２の無線ネットワークを構築する構築手段と、を有し、
前記提供手段は、前記構築手段により構築された前記第２の無線ネットワークに参加した他の通信装置に対し前記第１の無線ネットワークの通信パラメータを提供し、予め定められた上限台数の他の通信装置へ前記第１の無線ネットワークの通信パラメータを提供すると、前記通信装置は前記第１の無線ネットワークに参加することを特徴とする通信装置。
【請求項２】
前記第１の無線ネットワークは、前記構築手段により前記第２の無線ネットワークを構築する前に参加していた無線ネットワークであることを特徴とする請求項１に記載の通信装置。
【請求項３】
ネットワーク識別子を生成する生成手段を有し、
前記判別手段は、前記生成手段により生成されたネットワーク識別子の無線ネットワークが周囲に存在するか否かを確認し、
前記生成手段は、生成したネットワーク識別子が周囲の無線ネットワークと重複する場合、別のネットワーク識別子を生成し、
前記構築手段は、前記第１の無線ネットワークのネットワーク識別子と異なり、かつ、前記判別手段により周囲の無線ネットワークの中で一意となると判別されたネットワーク識別子を用いて第２の無線ネットワークを構築することを特徴とする請求項１または請求項２に記載の通信装置。
【請求項４】
前記判別手段は、周囲の無線ネットワークに所定の信号を送信し、該所定の信号に対する応答に基づいて、周囲の無線ネットワークの中で一意となるネットワーク識別子を判別することを特徴とする請求項１乃至請求項３の何れかに記載の通信装置。
【請求項５】
前記提供手段により第１の無線ネットワークの通信パラメータの提供処理の後に、前記構築手段は、周囲の無線ネットワークの中で一意となる無線ネットワークを、再度、構築することを特徴とする請求項１乃至請求項４の何れかに記載の通信装置。
【請求項６】
前記構築手段により前記第２の無線ネットワークを構築してから一定時間経過しても他の通信装置への通信パラメータの提供処理を行わなかった場合、前記第１の無線ネットワークに参加することを特徴とする請求項１乃至請求項５の何れかに記載の通信装置。
【請求項７】
通信装置が実行する通信方法であって、
他の通信装置に第１の無線ネットワークの通信パラメータを提供する提供工程と、
周囲の無線ネットワークの中で一意となるネットワーク識別子を判別する判別工程と、
他の通信装置との通信パラメータの設定処理がユーザにより指示され、他の通信装置に通信パラメータを提供する提供装置として動作する場合に、前記判別工程において前記第１の無線ネットワークのネットワーク識別子と異なり、かつ、周囲の無線ネットワークの中で一意となるネットワーク識別子を判別し、該ネットワーク識別子の第２の無線ネットワークを構築する構築工程と、を有し、
前記提供工程は、前記構築工程において構築された前記第２の無線ネットワークに参加した他の通信装置に対し前記第１の無線ネットワークの通信パラメータを提供し、予め定められた上限台数の他の通信装置へ前記第１の無線ネットワークの通信パラメータを提供すると、前記通信装置は前記第１の無線ネットワークに参加することを特徴とする通信装置の通信方法。
【請求項８】
請求項７に記載の通信方法を、通信装置が実行するためのプログラム。
【請求項９】
請求項８のプログラムを記憶した記憶媒体。
【発明の詳細な説明】
【技術分野】
【０００１】
本発明は、通信装置、通信装置の通信方法、プログラム、記憶媒体に関する。
【背景技術】
【０００２】
ＩＥＥＥ８０２．１１規格シリーズに準拠した無線ＬＡＮに代表される無線通信では、使用前に設定しなければならない設定項目が数多く存在する。
【０００３】
例えば、設定項目として、ネットワーク識別子としてのＳＳＩＤ、暗号方式、暗号鍵、認証方式、認証鍵等の無線通信を行うために必要な通信パラメータがあり、ユーザが手入力により設定するには非常に煩雑である。
【０００４】
そこで、様々なメーカーから、通信パラメータを簡単に無線機器に設定するための自動設定方法が考案されている。これら自動設定方法は、接続する機器間で予め定められた手順、及びメッセージにより、一方の機器から他方の機器に通信パラメータを提供し、通信パラメータの設定を自動的に行っている。
【０００５】
通信パラメータの自動設定方法に関しては、各メーカーが独自の方法を採用している場合が多い。従って、共通の通信パラメータ自動設定方法に対応していない機器間では、通信パラメータ設定のための手順が異なるか、解読可能なメッセージが異なり、自動設定方法を用いて通信パラメータの設定を行うことはできない。一方、共通の通信パラメータ自動設定方法に対応している機器の間では、当該自動設定方法を用いて簡単に通信パラメータの設定を行うことができる。
【０００６】
特許文献１には、通信パラメータの自動設定の一例が開示されている。
【特許文献１】特開２００３−３３８８２１号公報
【発明の開示】
【発明が解決しようとする課題】
【０００７】
通信パラメータの自動設定方法においては、通信パラメータを他の無線機器に提供する提供装置と、提供装置から提供された通信パラメータを受信し、自装置に設定する受信装置の役割が必要である。
【０００８】
よって、無線機器が自動設定により通信パラメータの提供を受ける場合には、その無線機器は、通信パラメータの提供装置を探さなければならない。
【０００９】
しかしながら、提供装置を探索するための信号に対して、必ずしも提供装置が応答するとは限らないという問題が存在するために、通信パラメータの提供機器を簡単に探すことができない。
【００１０】
例えば、ＩＥＥＥ８０２．１１規格のＩＢＳＳアドホックネットワークでは、探索要求信号であるプローブリクエストに対して応答を返す局は、ビーコンを最後に送信した局とされている。そのため、提供装置を探索するためにプローブリクエストを送信しても、提供装置以外の機器が応答してしまう場合があり、通信パラメータ提供装置の確定が難しいという問題があった。その結果、通信パラメータの設定処理を行えないという問題がある。
【００１１】
本発明は、通信パラメータの設定処理を効率良く行えるようにすることを目的とする。
【課題を解決するための手段】
【００１２】
本発明の通信装置は、他の通信装置に第１の無線ネットワークの通信パラメータを提供する提供手段と、周囲の無線ネットワークの中で一意となるネットワーク識別子を判別する判別手段と、他の通信装置との通信パラメータの設定処理がユーザにより指示され、前記提供手段により前記他の通信装置に通信パラメータを提供する提供装置として動作する場合に、前記第１の無線ネットワークのネットワーク識別子と異なり、かつ、周囲の無線ネットワークの中で一意となるネットワーク識別子を前記判別手段により判別し、該ネットワーク識別子の第２の無線ネットワークを構築する構築手段と、を有し、前記提供手段は、前記構築手段により構築された前記第２の無線ネットワークに参加した他の通信装置に対し前記第１の無線ネットワークの通信パラメータを提供し、予め定められた上限台数の他の通信装置へ前記第１の無線ネットワークの通信パラメータを提供すると、前記通信装置は前記第１の無線ネットワークに参加することを特徴とする。
【発明の効果】
【００１３】
本発明によれば、提供装置を特定することが困難なネットワークであっても、提供する通信パラメータの無線ネットワークと異なり、かつ、周囲の無線ネットワークの中で一意となるネットワーク識別子の無線ネットワークを提供装置が構築することにより提供装置の特定が容易になり、通信パラメータの提供処理を容易に行える。
【発明を実施するための最良の形態】
【００１４】
＜実施形態１＞
以下、本発明に係る無線通信装置について、図面を参照しながら詳細に説明する。以下では、ＩＥＥＥ８０２．１１シリーズに準拠した無線ＬＡＮシステムを用いた例について説明するが、通信形態は必ずしもＩＥＥＥ８０２．１１準拠の無線ＬＡＮには限らない。
【００１５】
本実施形態に好適な事例におけるハードウェア構成について説明する。
【００１６】
図１は本発明を適用できる実施形態に係る、後述の各端末の構成の一例を表すブロック図である。１０１は端末全体を示す。１０２は、記憶部１０３に記憶される制御プログラムを実行することにより端末全体を制御する制御部である。制御部１０２は、他の端末との間で通信パラメータの設定制御も行う。１０３は制御部１０２が実行する制御プログラムと、通信パラメータ等の各種情報を記憶する記憶部である。後述する各種動作は、記憶部１０３に記憶された制御プログラムを制御部１０２が実行することにより行われる。１０４は無線通信を行うための無線部である。１０５は各種表示を行う表示部でありＬＣＤやＬＥＤのように視覚で認知可能な情報の出力、あるいはスピーカなどの音出力が可能な機能を有する。１０６は通信パラメータ設定を開始するトリガを与える設定ボタンである。制御部１０２はユーザによる設定ボタン１０６の操作を検出することにより、後述する通信パラメータの設定動作を開始する。１０７はアンテナ制御部、そして１０８のアンテナである。
【００１７】
図２は本発明を適用できる実施形態に係る、後述の各端末が実行するソフトウェア機能ブロックの構成の一例を表すブロック図である。
【００１８】
２０１は端末全体を示している。２０２は通信パラメータ自動設定機能ブロックである。本実施形態では、ネットワーク識別子としてのＳＳＩＤ、暗号方式、暗号鍵、認証方式、認証鍵等の無線通信を行うために必要な通信パラメータの自動設定を行う。２０３は各種通信にかかわるパケットを受信するパケット受信部である。２０４は各種通信にかかわるパケットを送信するパケット送信部である。２０５はプローブリクエストなどの機器検索信号の送信を制御する検索信号送信部である。なお、プローブリクエストは、所望のネットワークを検索するためのネットワーク検索信号ということもできる。後述するプローブリクエストの送信は、検索信号送信部２０５により行われる。また、受信したプローブリクエストに対する応答信号であるプローブレスポンスの送信も検索信号送信部２０５により行われる。
【００１９】
２０６は他の端末からのプローブリクエストなどの機器検索信号の受信を制御する検索信号受信部である。後述するプローブリクエストの受信は、検索信号受信部２０６により行われる。また、プローブレスポンスの受信も検索信号受信部２０６により行われる。なお、プローブレスポンスには、プローブレスポンスを送信する機器の各種情報（自己情報）が付加される。
【００２０】
２０７は、ネットワーク識別子を生成するネットワーク識別子生成部である。後述のネットワーク識別子の生成は、ネットワーク識別子生成部２０７により行われる。
【００２１】
２０８は、ネットワーク識別子生成部２０７により生成したネットワーク識別子が周囲に存在するネットワークと重複するか否かを確認する重複確認部である。重複確認部２０８は、検索信号送信部２０５により、周囲に対して、生成したネットワーク識別子を含むプローブリクエストをブロードキャスト送信し、該ネットワーク識別子のネットワークが存在するかを問合せる。そして、該プローブリクエストに対する応答信号であるプローブレスポンスが検索信号受信部２０６により受信されると、該プローブレスポンスの内容を確認する。この確認の結果により、ネットワーク識別子生成部２０７により生成したネットワーク識別子のネットワークが存在するか否かを判定する。また、プローブレスポンスが検索信号受信部２０６により受信されなければ、ネットワーク識別子生成部２０７により生成したネットワーク識別子のネットワークが存在しないと判定する。
【００２２】
２０９は、ネットワークを構築するネットワーク構築部である。後述のネットワークの構築は、ネットワーク構築部２０９により行われる。２１０は、ネットワークへ参加するためのネットワーク参加部である。後述のネットワークへの参加は、ネットワーク参加部２１０により行われる。２１１は、通信パラメータの自動設定処理において対向となる端末が参加しているネットワークを特定するネットワーク特定部である。後述のネットワークの特定は、ネットワーク特定部２１１により行われる。
【００２３】
通信パラメータ自動設定機能ブロックにおける、２１２は、通信パラメータの提供装置から送られた通信パラメータを受信する通信パラメータ受信部である。２１３は、通信パラメータの提供装置として機能する場合に、相手機器に通信パラメータを提供する通信パラメータ提供部である。２１４は、通信パラメータ自動設定における各種プロトコルを制御する自動設定制御部である。後述の通信パラメータ自動設定の処理は、自動設定制御部２１４の制御に基づいて、通信パラメータ受信部２１２、通信パラメータ提供部２１３により行われる。
【００２４】
なお、全ての機能ブロックはソフトウェアもしくはハードウェア的に相互関係を有するものである。また、上記機能ブロックは一例であり、複数の機能ブロックが１つの機能ブロックを構成するようにしてもよいし、何れかの機能ブロックが更に複数の機能を行うブロックに分かれてもよい。
【００２５】
図３は、端末Ａ３０１（以下、端末Ａ）、端末Ｂ３０２（以下、端末Ｂ）、端末Ｃ３０３（以下、端末Ｃ）、および端末Ａと端末Ｂと端末Ｃが構成する共通ネットワーク３０４を示した図である。図３には更に、端末Ａと端末Ｂが構成する第一ネットワーク３０５、および端末Ａと端末Ｃが構成する第二ネットワーク３０６、および端末Ａが構成する第三ネットワーク３０７が示されている。
【００２６】
各端末は、ＩＥＥＥ８０２．１１無線ＬＡＮ通信機能を備えており、無線ＬＡＮアドホック（以下、アドホック）通信により無線通信を行い、先に説明した図１、図２の構成を有する。
【００２７】
ここで、端末Ａが確立した共通ネットワーク３０４に対し、端末Ｂおよび端末Ｃが通信パラメータの自動設定により参加することを考える。
【００２８】
端末Ａは通信パラメータの提供装置となり、共通ネットワーク３０４への参加に必要な通信パラメータを端末Ｂおよび端末Ｃへ提供する。この場合、端末Ｂおよび端末Ｃが通信パラメータの受信装置となる。
【００２９】
図４は、通信パラメータ受信装置が、通信パラメータの自動設定処理により通信パラメータ提供装置から通信パラメータを受信する際の処理を説明する動作フローチャート図である。なお、以下の説明では、通信パラメータ受信装置を受信装置（受理装置）とし、通信パラメータ提供装置を提供装置として説明する。また、受信装置となる端末において、ユーザにより設定ボタンが操作されると、図４に示す処理は開始される。
【００３０】
処理開始後、受信装置の検索信号送信部２０５はプローブリクエストを送信する（Ｓ４０１）。
【００３１】
その後、受信装置の検索信号受信部２０６は提供装置から通信パラメータ自動設定を意味する付加情報を載せたプローブレスポンスが送信されてくるのを待つ（Ｓ４０２）。一定時間経過しても通信パラメータ自動設定を意味する付加情報を載せたプローブレスポンスが送信されない場合は、再度、前記プローブリクエストの送信を繰り返す。
【００３２】
プローブレスポンスを受信した場合は、受信装置のネットワーク特定部２１１は、プローブレスポンス中の情報より、提供装置が参加中のネットワークのネットワーク識別子を特定する（Ｓ４０３）。
【００３３】
ネットワーク識別子を特定すると、受信装置のネットワーク参加部２１０は、提供装置が参加中のネットワークへ参加する（Ｓ４０４）。
【００３４】
ネットワークへ参加後、受信装置の通信パラメータ受信部２１２は通信パラメータ自動設定の開始メッセージを送信し、該メッセージを受けた提供装置から提供される通信パラメータを受信する（Ｓ４０５）。
【００３５】
図５は、提供装置が、通信パラメータの自動設定処理により受信装置へ通信パラメータを提供する際の処理を説明する動作フローチャート図である。なお、提供装置となる端末において、ユーザにより設定ボタンが操作されると、図５に示す処理は開始される。
【００３６】
提供装置のネットワーク識別子生成部２０７は、ランダムな文字列を含めたネットワーク識別子を生成する（Ｓ５０１）。ランダムな文字列を含めることにより、周囲に存在するネットワークに設定されたネットワーク識別子の中で一意となるようにネットワーク識別子を生成する。なおステップＳ５０１において、ネットワーク識別子生成部２０７はネットワーク識別子にランダムな文字列を利用する代わりに、ＭＡＣアドレス等の提供装置に固有の情報を用いても良い。同様にそれ以外の手法で、周囲に存在するネットワークに設定されたネットワーク識別子の中で一意となるようにネットワーク識別子を生成してもよい。
【００３７】
次に、提供装置は重複確認部２０８を用いて、生成したネットワーク識別子が周囲に存在するネットワークと重複していないことを確認する（Ｓ５０２）。つまり、周囲に対してプローブリクエストをブロードキャスト送信し、該プローブリクエストに対する応答信号であるプローブレスポンスが返信されるかを判定する。そして、プローブレスポンスが返信されてきた場合には、その内容を確認することにより、生成したネットワーク識別子が周囲に存在するネットワークと重複するか否かを確認する（Ｓ５０２）。
【００３８】
この確認の結果、重複するネットワーク識別子が設定されたネットワークが存在した場合は、ステップＳ５０１に戻り、別のネットワーク識別子を再度生成する。
【００３９】
重複するネットワーク識別子が設定されたネットワークが存在しない場合は、提供装置のネットワーク構築部２０９は、生成したネットワーク識別子が設定されたネットワークを構築する（Ｓ５０３）。なお、プローブレスポンスが返信されてこない場合は、生成したネットワーク識別子が周囲に存在するネットワークとは重複しないと判定する。
【００４０】
ネットワークを構築後、提供装置の検索信号受信部２０６がプローブリクエストを受信すると、検索信号送信部２０５は、通信パラメータ自動設定を意味する付加情報を載せたプローブリクエストを返信する。
【００４１】
その後、自動設定制御部２１４は受信装置から通信パラメータ自動設定の開始メッセージが送信されてくるのを一定時間待つ（Ｓ５０４、Ｓ５０６）。
【００４２】
提供装置が通信パラメータ自動設定の開始メッセージを受信すると、自動設定制御部２１４は通信パラメータ提供部２１３により受信装置へ通信パラメータを提供する（Ｓ５０５）。通信パラメータを提供後、提供装置はＳ５０１へ戻り、通信パラメータの提供処理を繰り返し行う。
【００４３】
通信パラメータ自動設定の開始メッセージを受信すること無く一定時間が経過した場合、共通ネットワークに参加し（Ｓ５０７）、処理を終了する。
【００４４】
なお、図５の処理は、例えば通信パラメータを提供する回数（台数）の上限値を記憶部１０３に設定し、通信パラメータの提供を上限値として設定された回数実施すると、終了するようにしてもよい。つまり、上限値として予めら設定された台数の受信装置への通信パラメータ提供を実施すると、図５の処理を終了してもよい。この場合、提供装置の通信パラメータ提供部２１３は受信装置へ通信パラメータを提供する度に提供回数をカウントし、通信パラメータ提供回数が上限値に達した場合に図５の処理を終了する。
【００４５】
図６は、端末Ｂおよび端末Ｃが、端末Ａから共通ネットワーク３０４の通信パラメータを受信し、共通ネットワーク３０４へ参加する処理についてのシーケンス図である。
【００４６】
ユーザにより端末Ａの設定ボタンが操作されると、端末Ａは図５の処理を開始する。端末Ａは処理を開始すると、少なくとも周囲に存在するネットワークの中で一意となるネットワーク識別子を設定したネットワーク３０５を構築する（Ｆ６０１）。
【００４７】
ユーザにより端末Ｂの設定ボタンが操作されると、端末Ｂは図４の処理を開始する。そして、端末Ｂは、プローブリクエスト（Ｐｒｏｂｅ．Ｒｅｑ．）を送信し（Ｆ６０２）、提供装置を探索する。
【００４８】
Ｆ６０２にて送信されたプローブリクエストを受信した端末Ａは、端末Ｂへ通信パラメータ自動設定機能を有していることを示す識別子を付与したプローブレスポンス（Ｐｒｏｂｅ．Ｒｅｓｐ．）を返信する（Ｆ６０３）。
【００４９】
通信パラメータ自動設定機能を有していることを示す識別子を付与したプローブレスポンスを受信した端末Ｂは、端末Ａが構築したネットワーク３０５を検出、特定し、該ネットワークへ参加する（Ｆ６０４）。
【００５０】
ネットワーク３０５にて、端末Ａは通信パラメータの自動設定により端末Ｂへ共通ネットワーク３０４の通信パラメータを提供する（Ｆ６０５）。
【００５１】
通信パラメータを受信後、端末Ｂは共通ネットワーク３０４へ参加する（Ｆ６０６）。
【００５２】
端末Ｂに通信パラメータを提供後、端末Ａは少なくとも周囲に存在するネットワークの中で一意となるネットワーク識別子が設定されたネットワーク３０６を構築する（Ｆ６０７）。
【００５３】
ユーザにより端末Ｃの設定ボタンが操作されると、端末Ｃは図４の処理を開始する。そして、端末Ｃは、プローブリクエスト（Ｐｒｏｂｅ．Ｒｅｑ．）を送信し（Ｆ６０８）、提供装置を探索する。
【００５４】
Ｆ６０８にて送信されたプローブリクエストを受信した端末Ａは、端末Ｃへ通信パラメータ自動設定機能を有していることを示す識別子を付与したプローブレスポンス（Ｐｒｏｂｅ．Ｒｅｓｐ．）を返信する（Ｆ６０９）。
【００５５】
通信パラメータ自動設定機能を有していることを示す識別子を付与したプローブレスポンスを受信した端末Ｃは、端末Ａが構築したネットワーク３０６を検出、特定し、該ネットワークへ参加する（Ｆ６１０）。
【００５６】
ネットワーク３０６にて、端末Ａは通信パラメータの自動設定により端末Ｃへ共通ネットワーク３０４の通信パラメータを提供する（Ｆ６１１）。
【００５７】
通信パラメータを受信後、端末Ｃは共通ネットワーク３０４へ参加する（Ｆ６１２）。
【００５８】
端末Ｃに通信パラメータを提供後、端末Ａは少なくとも周囲に存在するネットワークの中で一意となるネットワーク識別子が設定されたネットワーク３０７を構築する（Ｆ６１３）。
【００５９】
通信パラメータ自動設定の開始メッセージを受信すること無く一定時間が経過すると、端末Ａは処理を終了して共通ネットワーク３０４へ参加する（戻る）（Ｆ６１４）。
【００６０】
以上のように、提供装置は受信装置へ通信パラメータを提供する際に、周囲に存在するネットワークの中で一意となるネットワーク識別子のネットワークを構築する。すなわち、受信装置が提供装置のネットワークを検出する際には、提供装置が参加中のネットワークには提供装置のみが存在している。そのため、受信装置が送信するプローブリクエストに対して、提供装置が確実に応答することが可能となる。このようにすることにより、提供装置を特定することが困難なネットワーク（アドホックネットワーク）であっても、受信装置は提供装置を容易且つ迅速に探し出し、確定できる。従って、通信パラメータの提供及び受信を行う通信パラメータの自動設定を効率良く容易に行える。
【００６１】
以上、本発明の好適な実施形態を説明したが、これは本発明の説明のための例示であって、本発明の範囲をこの実施例のみに限定する趣旨ではない。本発明の要旨を逸脱しない範囲で、実施形態は種々に変形することが可能である。
【００６２】
例えば、以上の実施形態の説明においては、プローブリクエスト・プローブレスポンスを用いたが、送信される信号を限定するものではなく、同様の役割を行えるものであれば、いかなる信号であっても構わない。
【００６３】
また、上記説明はＩＥＥＥ８０２．１１準拠の無線ＬＡＮを例に説明した。しかしながら、本発明は、ワイヤレスＵＳＢ、ＭＢＯＡ、Ｂｌｕｅｔｏｏｔｈ（登録商標）、ＵＷＢ、ＺｉｇＢｅｅ等の他の無線媒体において実施してもよい。また、有線ＬＡＮ等の有線通信媒体において実施してもよい。
【００６４】
ここで、ＭＢＯＡは、Ｍｕｌｔｉ  Ｂａｎｄ  ＯＦＤＭ  Ａｌｌｉａｎｃｅの略である。また、ＵＷＢは、ワイヤレスＵＳＢ、ワイヤレス１３９４、ＷＩＮＥＴなどが含まれる。
【００６５】
また、通信パラメータとしてネットワーク識別子、暗号方式、暗号鍵、認証方式、認証鍵を例にしたが、他の情報であってもよいし、他の情報も通信パラメータには含まれるようにしてもよいことは言うまでも無い。
【００６６】
本発明は前述の機能を実現するソフトウエアのプログラムコードを記録した記録媒体をシステムあるいは装置に供給し、システムあるいは装置のコンピュータ（ＣＰＵ、ＭＰＵ）が記録媒体に格納されたプログラムコードを読み出し実行するようにしてもよい。この場合、記憶媒体から読み出されたプログラムコード自体が前述した実施形態の機能を実現することとなり、そのプログラムコードを記憶した記憶媒体は本発明を構成することになる。
【００６７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００６８】
また、コンピュータが読み出したプログラムコードを実行することにより、前述の機能が実現されるだけでなく、そのプログラムコードの指示に基づき、コンピュータ上で稼動しているＯＳが実際の処理の一部または全部を行い、前述の機能を実現してもよい。ＯＳとは、Ｏｐｅｒａｔｉｎｇ  Ｓｙｓｔｅｍの略である。
【００６９】
さらに、記憶媒体から読み出されたプログラムコードを、コンピュータに挿入された機能拡張ボードやコンピュータに接続された機能拡張ユニットに備わるメモリに書き込む。そして、そのプログラムコードの指示に基づき、機能拡張ボードや機能拡張ユニットに備わるＣＰＵが実際の処理の一部または全部を行い、前述の機能を実現してもよい。
【図面の簡単な説明】
【００７０】
【図１】端末を構成するブロック図
【図２】本発明の実施形態における端末内のソフトウェア機能ブロック図
【図３】実施形態における３台の端末によりアドホックネットワークを形成した場合の構成図
【図４】実施形態における通信パラメータ受信装置の動作を表すフローチャート図
【図５】実施形態における通信パラメータ提供装置の動作を表すフローチャート図
【図６】実施形態における端末Ａ、端末Ｂ，端末Ｃの動作を表すシーケンス図
【符号の説明】
【００７１】
２０１  端末装置
２０２  通信パラメータ自動設定機能ブロック
２０３  パケット受信部
２０４  パケット送信部
２０５  検索信号送信部
２０６  検索信号受信部
２０７  ネットワーク識別子生成部
２０８  重複確認部
２０９  ネットワーク構築部
２１０  ネットワーク参加部
２１１  ネットワーク特定部
２１２  通信パラメータ受信部
２１３  通信パラメータ提供部
２１４  自動設定制御部
【図１】
0005031487.tif 000002
【図２】
0005031487.tif 000003
【図３】
0005031487.tif 000004
【図４】
0005031487.tif 000005
【図５】
0005031487.tif 000006
【図６】
0005031487.tif 000007